(57)【要約】 【課題】  キャリブレーションウエイト算出が正確にできているか否かを高い精度で検証すること。【解決手段】  複数のアンテナｘ部１０−ｘを含む通信装置において、前記各アンテナｘ部１０−ｘにそれぞれ対応する複数のキャリブレーションウエイトをそれぞれ所定の検証係数に基づいて修正することにより生成される修正送信ウエイトに基づいて重み付けされたキャリブレーション検証信号を受信して合成することにより得られる信号を修正受信信号の受信電力に応じて、該キャリブレーションウエイトに基づいて送信ウエイトを決定するか否かを決定することを特徴とする。【選択図】        図３
2006019992.tif 000002
【特許請求の範囲】
【請求項１】
キャリブレーション部と、送受信部と、該キャリブレーション部及び該送受信部とそれぞれ接続される複数のアンテナ部と、を含む通信装置において、
前記送受信部は、
前記各アンテナ部にそれぞれ対応する複数のキャリブレーションウエイトを記憶するキャリブレーションウエイト記憶手段と、
前記複数のアンテナ部ごとに設けられ、前記各アンテナ部に到来する信号を受信する複数の信号受信手段と、
前記各信号受信手段によりそれぞれ受信される信号の位相及び振幅の該各信号間における相違量を示す受信ウエイトであって、前記各アンテナ部にそれぞれ対応する複数の受信ウエイトを算出する受信ウエイト算出手段と、
送信信号を取得する送信信号取得手段と、
前記受信ウエイトに基づいて、前記各アンテナ部から前記送信信号を送信する際の、位相及び振幅の該各信号間における相違量を示す送信ウエイトであって、前記各アンテナ部にそれぞれ対応する送信ウエイトを決定する送信ウエイト決定手段と、
前記キャリブレーションウエイト記憶手段に記憶される複数のキャリブレーションウエイトと、所定の検証係数と、を演算することにより、修正送信ウエイトを生成する修正送信ウエイト生成手段と、
キャリブレーション検証信号を取得するキャリブレーション検証信号取得手段と、
前記複数のアンテナ部ごとに設けられ、前記各アンテナ部から前記修正送信ウエイト生成手段により生成される修正送信ウエイトに基づいて重み付けされた前記キャリブレーション検証信号を、前記各アンテナ部に対し送信する修正キャリブレーション検証信号送信手段と、を含み、
前記アンテナ部は、
前記修正キャリブレーション検証信号送信手段により送信される前記キャリブレーション検証信号を取得し、前記送受信部に対し送信するキャリブレーション検証信号取得送信手段、を含み、
前記キャリブレーション部は、
前記各修正キャリブレーション検証信号取得送信手段により送信される複数の前記キャリブレーション検証信号を合成することにより得られる信号を修正受信信号として取得する修正受信信号合成手段、をさらに含み、
前記修正受信信号の受信電力に応じて、前記送信ウエイト決定手段において、前記キャリブレーションウエイト記憶手段により記憶される前記複数のキャリブレーションウエイトにさらに基づいて送信ウエイトを決定するか否かを決定するキャリブレーションウエイト使用決定手段、をさらに含む、
ことを特徴とする通信装置。
【請求項２】
請求項１に記載の通信装置において、
前記キャリブレーション検証信号は、キャリブレーション信号である、
ことを特徴とする通信装置。
【請求項３】
請求項１又は２に記載の通信装置において、
前記修正送信ウエイト取得手段は、前記アンテナ部の数の前記キャリブレーション検証信号をあるウエイトで重み付けをして合成する場合であって、該合成して得られる信号の振幅が所定値以下となるように算出される該ウエイトを、前記所定の検証係数とする、
ことを特徴とする通信装置。
【請求項４】
請求項３に記載の通信装置において、
前記修正送信ウエイト取得手段は、前記各アンテナ部に１からアンテナ部の数までの通番でアンテナ番号を付与し、前記各アンテナ部に対応するキャリブレーションウエイトごとに、２πにアンテナ番号を乗算し、さらにアンテナ部の数で除算して得られる位相回転量を乗算することにより得られる量を、前記所定の検証係数とする、
ことを特徴とする通信装置。
【請求項５】
請求項１から４のいずれか１項に記載の通信装置において、
前記キャリブレーションウエイト使用決定手段は、前記修正受信信号の受信電力が所定値以下である場合に、前記送信ウエイト決定手段において、前記キャリブレーションウエイト記憶手段により記憶される前記複数のキャリブレーションウエイトにさらに基づいて送信ウエイトを決定するか否かを決定する、
ことを特徴とする通信装置。
【請求項６】
請求項１から５のいずれか１項に記載の通信装置において、
前記送受信部は、
前記キャリブレーションウエイトを、非修正送信ウエイトとして取得する非修正送信ウエイト取得手段と、
前記複数のアンテナ部ごとに設けられ、前記各アンテナ部から非修正送信ウエイト決定手段により決定される非修正送信ウエイトを付加して、前記キャリブレーション検証信号を前記各アンテナ部に対し送信する非修正キャリブレーション検証信号送信手段と、をさらに含み、
前記アンテナ部は、
前記キャリブレーション検証信号取得送信手段は、前記非修正キャリブレーション検証信号送信手段により送信される前記キャリブレーション検証信号を前記送受信部に対しさらに送信し、
前記キャリブレーション部は、
前記各非修正キャリブレーション検証信号取得送信手段により送信される複数の前記キャリブレーション信号を合成することにより得られる信号を非修正受信信号として取得する非修正受信信号合成手段と、をさらに含み、
前記キャリブレーションウエイト使用決定手段は、前記修正受信信号の受信電力及び前記非修正受信信号の受信電力に応じて、前記送信ウエイト決定手段において、前記キャリブレーションウエイト記憶手段により記憶される前記複数のキャリブレーションウエイトにさらに基づいて送信ウエイトを決定するか否かを決定する、
ことを特徴とする通信装置。
【請求項７】
請求項６に記載の通信装置において、
前記キャリブレーションウエイト使用決定手段は、前記修正受信信号の受信電力と、前記非修正受信信号の受信電力と、の差異に基づいて、前記送信ウエイト決定手段において、前記キャリブレーションウエイト記憶手段により記憶される前記複数のキャリブレーションウエイトにさらに基づいて送信ウエイトを決定するか否かを決定する、
ことを特徴とする通信装置。
【請求項８】
キャリブレーション部と、送受信部と、該キャリブレーション部及び該送受信部とそれぞれ接続される複数のアンテナ部と、を含む通信装置を制御するキャリブレーション検証方法において、
前記送受信部において、
前記複数のアンテナ部ごとに設けられ、前記各アンテナ部に到来する信号を受信する複数の信号受信ステップと、
前記各信号受信手段によりそれぞれ受信される信号の位相及び振幅の該各信号間における相違量を示す受信ウエイトであって、前記各アンテナ部にそれぞれ対応する複数の受信ウエイトを算出する受信ウエイト算出ステップと、
送信信号を取得する送信信号取得ステップと、
前記受信ウエイトに基づいて、前記各アンテナ部から前記送信信号を送信する際の、位相及び振幅の該各信号間における相違量を示す送信ウエイトであって、前記各アンテナ部にそれぞれ対応する送信ウエイトを決定する送信ウエイト決定ステップと、
前記各アンテナ部にそれぞれ対応する複数のキャリブレーションウエイトを記憶するキャリブレーションウエイト記憶手段により記憶される複数のキャリブレーションウエイトと、所定の検証係数と、を演算することにより、修正送信ウエイトを生成する修正送信ウエイト生成ステップと、
キャリブレーション検証信号を取得するキャリブレーション検証信号取得ステップと、
前記複数のアンテナ部ごとに設けられ、前記各アンテナ部から修正送信ウエイト生成ステップにおいて生成され修正送信ウエイトに基づいて重み付けされた前記キャリブレーション検証信号を、前記各アンテナ部に対し送信する修正キャリブレーション検証信号送信ステップと、を含み、
前記アンテナ部において、
前記修正キャリブレーション検証信号送信ステップにおいて送信される前記キャリブレーション検証信号を取得し、前記送受信部に対し送信するキャリブレーション検証信号取得送信ステップ、を含み、
前記キャリブレーション部において、
前記各修正キャリブレーション検証信号取得送信ステップにおいて送信される複数の前記キャリブレーション検証信号を合成することにより得られる信号を修正受信信号として取得する修正受信信号合成ステップ、を含み、
前記修正受信信号の受信電力に応じて、前記送信ウエイト決定ステップにおいて、前記キャリブレーションウエイト記憶ステップにおいて記憶される前記複数のキャリブレーションウエイトにさらに基づいて送信ウエイトを決定するか否かを決定するキャリブレーションウエイト使用決定ステップ、をさらに含む、
ことを特徴とするキャリブレーション検証方法。
【請求項９】
コンピュータを、キャリブレーション部と、送受信部と、前記キャリブレーション部及び前記送受信部とそれぞれ接続される複数のアンテナ部と、を含む通信装置として機能させるためのプログラムにおいて、
前記複数のアンテナ部ごとに設けられ、前記各アンテナ部に到来する信号を受信する複数の信号受信手段と、
前記各信号受信手段によりそれぞれ受信される信号の位相及び振幅の該各信号間における相違量を示す受信ウエイトであって、前記各アンテナ部にそれぞれ対応する複数の受信ウエイトを算出する受信ウエイト算出手段と、
送信信号を取得する送信信号取得手段と、
前記受信ウエイトに基づいて、前記各アンテナ部から前記送信信号を送信する際の、位相及び振幅の該各信号間における相違量を示す送信ウエイトであって、前記各アンテナ部にそれぞれ対応する送信ウエイトを決定する送信ウエイト決定手段と、
前記各アンテナ部にそれぞれ対応する複数のキャリブレーションウエイトを記憶するキャリブレーションウエイト記憶手段により記憶される複数のキャリブレーションウエイトと、所定の検証係数と、を演算することにより、修正送信ウエイトを生成する修正送信ウエイト生成手段と、
キャリブレーション検証信号を取得するキャリブレーション検証信号取得手段と、
前記複数のアンテナ部ごとに設けられ、前記各アンテナ部から前記修正送信ウエイト生成手段により生成される修正送信ウエイトに基づいて重み付けされた前記キャリブレーション検証信号を、前記各アンテナ部に対し送信する修正キャリブレーション検証信号送信手段と、を含む前記送受信部として前記コンピュータを機能させ、
前記修正キャリブレーション検証信号送信手段により送信される前記キャリブレーション検証信号を取得し、前記送受信部に対し送信するキャリブレーション検証信号取得送信手段、を含む前記アンテナ部として前記コンピュータを機能させ、
前記各修正キャリブレーション検証信号取得送信手段により送信される複数の前記キャリブレーション検証信号を合成することにより得られる信号を修正受信信号として取得する修正受信信号合成手段、をさらに含む前記キャリブレーション部として前記コンピュータを機能させ、
前記修正受信信号の受信電力に応じて、前記送信ウエイト決定手段において、前記キャリブレーションウエイト記憶手段により記憶される前記複数のキャリブレーションウエイトにさらに基づいて送信ウエイトを決定するか否かを決定するキャリブレーションウエイト使用決定手段、として前記コンピュータを機能させる、
ことを特徴とするプログラム。
【発明の詳細な説明】
【技術分野】
【０００１】
本発明は通信装置、キャリブレーション検証方法及びプログラムに関する。
【背景技術】
【０００２】
アダプティブアレイアンテナを使用する基地局装置においては、複数のアンテナにおいてそれぞれ受信される信号に基づいて、送信信号について、アンテナごとの送信電力のウエイトを算出する。そして、該ウエイトに基づいて重み付けされた送信信号を、各アンテナから送出する処理を行う。
【０００３】
ここで、精度よくウエイトを算出するためには、受信信号の各アンテナにおける受信電力や位相回転量と、送信信号を送信する際に生ずる基地局装置内部での電力ロスや遅延と、を把握し、これらを考慮した上でウエイトを算出する必要がある。より具体的には、従来のアダプティブアレイアンテナ技術により算出される送信ウエイト（アンテナ重み）に、キャリブレーション技術により基地局装置内部での電力ロスや遅延に基づいて算出されるキャリブレーションウエイトを乗算することにより得られる送信ウエイトを、上記ウエイトとして使用することができる。従来のキャリブレーションについては、例えば特許文献１において各アンテナにおける送信系と受信系の特性差を検出して、最適なアダプティブビームフォーミングとアダプティブヌルスティアリングを行うことを可能とすることに関する発明が記載されている。
【特許文献１】特開２００１−５３６６１号公報
【発明の開示】
【発明が解決しようとする課題】
【０００４】
ここで、上記従来のキャリブレーション技術においては、上記キャリブレーションウエイトにより所望のウエイトが得られたのか否かについての精度の高い検証を行うことが望まれていた。
【０００５】
本発明は上記課題に鑑みてなされたものであって、その目的は、キャリブレーションウエイト算出が正確にできているか否かを高い精度で検証することのできる通信装置、キャリブレーション検証方法及びプログラムを提供することにある。
【課題を解決するための手段】
【０００６】
上記課題を解決するための本発明は、キャリブレーション部と、送受信部と、該キャリブレーション部及び該送受信部とそれぞれ接続される複数のアンテナ部と、を含む通信装置において、前記送受信部は、前記各アンテナ部にそれぞれ対応する複数のキャリブレーションウエイトを記憶するキャリブレーションウエイト記憶手段と、前記複数のアンテナ部ごとに設けられ、前記各アンテナ部に到来する信号を受信する複数の信号受信手段と、前記各信号受信手段によりそれぞれ受信される信号の位相及び振幅の該各信号間における相違量を示す受信ウエイトであって、前記各アンテナ部にそれぞれ対応する複数の受信ウエイトを算出する受信ウエイト算出手段と、送信信号を取得する送信信号取得手段と、前記受信ウエイトに基づいて、前記各アンテナ部から前記送信信号を送信する際の、位相及び振幅の該各信号間における相違量を示す送信ウエイトであって、前記各アンテナ部にそれぞれ対応する送信ウエイトを決定する送信ウエイト決定手段と、前記キャリブレーションウエイト記憶手段に記憶される複数のキャリブレーションウエイトと、所定の検証係数と、を演算することにより、修正送信ウエイトを生成する修正送信ウエイト生成手段と、キャリブレーション検証信号を取得するキャリブレーション検証信号取得手段と、前記複数のアンテナ部ごとに設けられ、前記各アンテナ部から前記修正送信ウエイト生成手段により生成される修正送信ウエイトに基づいて重み付けされた前記キャリブレーション検証信号を、前記各アンテナ部に対し送信する修正キャリブレーション検証信号送信手段と、を含み、前記アンテナ部は、前記修正キャリブレーション検証信号送信手段により送信される前記キャリブレーション検証信号を取得し、前記送受信部に対し送信するキャリブレーション検証信号取得送信手段、を含み、前記キャリブレーション部は、前記各修正キャリブレーション検証信号取得送信手段により送信される複数の前記キャリブレーション検証信号を合成することにより得られる信号を修正受信信号として取得する修正受信信号合成手段、をさらに含み、前記修正受信信号の受信電力に応じて、前記送信ウエイト決定手段において、前記キャリブレーションウエイト記憶手段により記憶される前記複数のキャリブレーションウエイトにさらに基づいて送信ウエイトを決定するか否かを決定するキャリブレーションウエイト使用決定手段、をさらに含む、ことを特徴とする。
【０００７】
このようにすることにより、所定の検証係数に基づいて修正されるキャリブレーションウエイトに基づいて重み付けされたキャリブレーション検証信号の受信電力に応じて、前記送信ウエイト決定手段において、前記キャリブレーションウエイト記憶手段により記憶される前記複数のキャリブレーションウエイトにさらに基づいて送信ウエイトを決定するか否かを決定することができるので、キャリブレーションウエイト算出が正確にできているか否かを高い精度で検証することができる。
【０００８】
また、上記通信装置において、前記キャリブレーション検証信号は、キャリブレーション信号である、こととしてもよい。このようにすれば、キャリブレーションウエイトを算出した環境で検証をすることができるので、キャリブレーションウエイトそのものの検証を精度よくすることができる。
【０００９】
また、上記通信装置において、前記修正送信ウエイト取得手段は、前記アンテナ部の数の前記キャリブレーション検証信号をあるウエイトで重み付けをして合成する場合であって、該合成して得られる信号の振幅が所定値以下となるように算出される該ウエイトを、前記所定の検証係数とする、こととしてもよい。
【００１０】
また、上記通信装置において、前記修正送信ウエイト取得手段は、前記各アンテナ部に１からアンテナ部の数までの通番でアンテナ番号を付与し、前記各アンテナ部に対応するキャリブレーションウエイトごとに、２πにアンテナ番号を乗算し、さらにアンテナ部の数で除算して得られる位相回転量を乗算することにより得られる量を、前記所定の検証係数とする、こととしてもよい。
【００１１】
また、上記通信装置において、前記キャリブレーションウエイト使用決定手段は、前記修正受信信号の受信電力が所定値以下である場合に、前記送信ウエイト決定手段において、前記キャリブレーションウエイト記憶手段により記憶される前記複数のキャリブレーションウエイトにさらに基づいて送信ウエイトを決定するか否かを決定する、こととしてもよい。このようにすれば、受信したキャリブレーション検証信号を合成して得られる信号の振幅が所定値以下となるか否かに基づいて検証することができるので、検証が容易になる。
【００１２】
また、上記通信装置において、前記送受信部は、前記キャリブレーションウエイトを、非修正送信ウエイトとして取得する非修正送信ウエイト取得手段と、前記複数のアンテナ部ごとに設けられ、前記各アンテナ部から非修正送信ウエイト決定手段により決定される非修正送信ウエイトを付加して、前記キャリブレーション検証信号を前記各アンテナ部に対し送信する非修正キャリブレーション検証信号送信手段と、をさらに含み、前記アンテナ部は、前記キャリブレーション検証信号取得送信手段は、前記非修正キャリブレーション検証信号送信手段により送信される前記キャリブレーション検証信号を前記送受信部に対しさらに送信し、前記キャリブレーション部は、前記各非修正キャリブレーション検証信号取得送信手段により送信される複数の前記キャリブレーション信号を合成することにより得られる信号を非修正受信信号として取得する非修正受信信号合成手段と、をさらに含み、前記キャリブレーションウエイト使用決定手段は、前記修正受信信号の受信電力及び前記非修正受信信号の受信電力に応じて、前記送信ウエイト決定手段において、前記キャリブレーションウエイト記憶手段により記憶される前記複数のキャリブレーションウエイトにさらに基づいて送信ウエイトを決定するか否かを決定する、こととしてもよい。
【００１３】
また、上記通信装置において、前記キャリブレーションウエイト使用決定手段は、前記修正受信信号の受信電力と、前記非修正受信信号の受信電力と、の差異に基づいて、前記送信ウエイト決定手段において、前記キャリブレーションウエイト記憶手段により記憶される前記複数のキャリブレーションウエイトにさらに基づいて送信ウエイトを決定するか否かを決定する、こととしてもよい。このようにすれば、受信したキャリブレーション検証信号を合成して得られる信号の振幅が所定値以上となるか否か、及び受信したキャリブレーション検証信号を合成して得られる信号の振幅が所定値以下となるか否かに基づいて検証することができるので、検証が容易になる。
【００１４】
また、本発明に係るキャリブレーション検証方法は、キャリブレーション部と、送受信部と、該キャリブレーション部及び該送受信部とそれぞれ接続される複数のアンテナ部と、を含む通信装置を制御するキャリブレーション検証方法において、前記送受信部において、前記複数のアンテナ部ごとに設けられ、前記各アンテナ部に到来する信号を受信する複数の信号受信ステップと、前記各信号受信手段によりそれぞれ受信される信号の位相及び振幅の該各信号間における相違量を示す受信ウエイトであって、前記各アンテナ部にそれぞれ対応する複数の受信ウエイトを算出する受信ウエイト算出ステップと、送信信号を取得する送信信号取得ステップと、前記受信ウエイトに基づいて、前記各アンテナ部から前記送信信号を送信する際の、位相及び振幅の該各信号間における相違量を示す送信ウエイトであって、前記各アンテナ部にそれぞれ対応する送信ウエイトを決定する送信ウエイト決定ステップと、前記各アンテナ部にそれぞれ対応する複数のキャリブレーションウエイトを記憶するキャリブレーションウエイト記憶手段により記憶される複数のキャリブレーションウエイトと、所定の検証係数と、を演算することにより、修正送信ウエイトを生成する修正送信ウエイト生成ステップと、キャリブレーション検証信号を取得するキャリブレーション検証信号取得ステップと、前記複数のアンテナ部ごとに設けられ、前記各アンテナ部から修正送信ウエイト生成ステップにおいて生成され修正送信ウエイトに基づいて重み付けされた前記キャリブレーション検証信号を、前記各アンテナ部に対し送信する修正キャリブレーション検証信号送信ステップと、を含み、前記アンテナ部において、前記修正キャリブレーション検証信号送信ステップにおいて送信される前記キャリブレーション検証信号を取得し、前記送受信部に対し送信するキャリブレーション検証信号取得送信ステップ、を含み、前記キャリブレーション部において、前記各修正キャリブレーション検証信号取得送信ステップにおいて送信される複数の前記キャリブレーション検証信号を合成することにより得られる信号を修正受信信号として取得する修正受信信号合成ステップ、を含み、前記修正受信信号の受信電力に応じて、前記送信ウエイト決定ステップにおいて、前記キャリブレーションウエイト記憶ステップにおいて記憶される前記複数のキャリブレーションウエイトにさらに基づいて送信ウエイトを決定するか否かを決定するキャリブレーションウエイト使用決定ステップ、をさらに含む、ことを特徴とする。
【００１５】
また、本発明に係るプログラムは、コンピュータを、キャリブレーション部と、送受信部と、前記キャリブレーション部及び前記送受信部とそれぞれ接続される複数のアンテナ部と、を含む通信装置として機能させるためのプログラムにおいて、前記複数のアンテナ部ごとに設けられ、前記各アンテナ部に到来する信号を受信する複数の信号受信手段と、前記各信号受信手段によりそれぞれ受信される信号の位相及び振幅の該各信号間における相違量を示す受信ウエイトであって、前記各アンテナ部にそれぞれ対応する複数の受信ウエイトを算出する受信ウエイト算出手段と、送信信号を取得する送信信号取得手段と、前記受信ウエイトに基づいて、前記各アンテナ部から前記送信信号を送信する際の、位相及び振幅の該各信号間における相違量を示す送信ウエイトであって、前記各アンテナ部にそれぞれ対応する送信ウエイトを決定する送信ウエイト決定手段と、前記各アンテナ部にそれぞれ対応する複数のキャリブレーションウエイトを記憶するキャリブレーションウエイト記憶手段により記憶される複数のキャリブレーションウエイトと、所定の検証係数と、を演算することにより、修正送信ウエイトを生成する修正送信ウエイト生成手段と、キャリブレーション検証信号を取得するキャリブレーション検証信号取得手段と、前記複数のアンテナ部ごとに設けられ、前記各アンテナ部から前記修正送信ウエイト生成手段により生成される修正送信ウエイトに基づいて重み付けされた前記キャリブレーション検証信号を、前記各アンテナ部に対し送信する修正キャリブレーション検証信号送信手段と、を含む前記送受信部として前記コンピュータを機能させ、前記修正キャリブレーション検証信号送信手段により送信される前記キャリブレーション検証信号を取得し、前記送受信部に対し送信するキャリブレーション検証信号取得送信手段、を含む前記アンテナ部として前記コンピュータを機能させ、前記各修正キャリブレーション検証信号取得送信手段により送信される複数の前記キャリブレーション検証信号を合成することにより得られる信号を修正受信信号として取得する修正受信信号合成手段、をさらに含む前記キャリブレーション部として前記コンピュータを機能させ、前記修正受信信号の受信電力に応じて、前記送信ウエイト決定手段において、前記キャリブレーションウエイト記憶手段により記憶される前記複数のキャリブレーションウエイトにさらに基づいて送信ウエイトを決定するか否かを決定するキャリブレーションウエイト使用決定手段、として前記コンピュータを機能させる、ことを特徴とする。
【発明を実施するための最良の形態】
【００１６】
本発明の実施形態について、図面を参照しながら説明する。
【００１７】
図１は、本実施の形態に係る移動体通信システム１の構成図である。該移動体通信システム１は、図１に示すように、基地局装置２と、移動局装置３と、通信ネットワーク４と、を含んで構成されている。
【００１８】
基地局装置２は、図２に示すように、制御部２０と、無線通信部２１と、記憶部２２と、ネットワークインターフェイス部２３と、キャリブレーション部２４と、を含んで構成されている。制御部２０は、基地局装置２の各部を制御し、通話やデータ通信に関わる処理を実行している。無線通信部２１は、複数のアンテナを備え、移動局装置３からの音声信号や通信用パケット等をそれぞれ受信して復調し、制御部２０に出力したり、制御部２０から入力される指示に従って、制御部２０から入力される音声信号や通信用パケット等を変調してアンテナを介して出力したり、といった処理を行う。また、複数のアンテナを従来公知のアダプティブアレイアンテナとして使用することにより、後述する空間分割多重方式（ＳＤＭＡ，Space Division Multiple Access）にて通信を行う。記憶部２２は、制御部２０のワークメモリとして動作する。また、この記憶部２２は、制御部２０によって行われる各種処理に関わるプログラムやパラメータを保持している。ネットワークインターフェイス部２３は、通信ネットワーク４と接続されており、通信ネットワーク４からの音声信号や通信用パケット等を受信して制御部２０に出力したり、制御部２０の指示に従って音声信号や通信用パケット等を通信ネットワーク４に対して送信したりする。キャリブレーション部２４は、基地局装置２内での電力ロスや遅延をアンテナごとの送信電力のウエイトに反映させるために使用されるキャリブレーションウエイトを算出するためのキャリブレーション処理の一部を行うとともに、後述するキャリブレーション検証信号の受信を行う。
【００１９】
移動局装置３は、従来公知の携帯電話端末やＰＨＳ端末等の移動体通信システムで使用される端末装置と同様の端末装置であり、基地局装置２から無線送信される信号を受信し、基地局装置２に対し信号を無線送信することにより、基地局装置２と通信を行う。そして、該通信には上記空間分割多重方式を使用するとともに、時分割複信方式（ＴＤＤ，Time Division Duplex）を使用することにより、移動局装置３から基地局装置２へ送信される信号（上り信号）と、基地局装置２から移動局装置３へ送信される信号（下り信号）と、を同一の周波数チャネルを使用して通信するようにしている。
【００２０】
通信ネットワーク４は移動体通信システムの交換機ネットワークであってもよいし、移動体通信システムとして使用される多重通信システム１がＩＰ電話による通信システムである場合などにはＴＣＰ／ＩＰ網であってもよい。
【００２１】
図３は、本実施の形態に係る基地局装置２の機能ブロックを示す図である。図３に示すように、基地局装置２は、機能的には、アンテナｘ部１０−ｘ（ｘ＝１〜ｎ）と、基地局送受信部４０と、キャリブレーション部５０と、合成部６０と、キャリブレーション検証実施部７０と、を含んで構成されている。アンテナｘ部１０−ｘは、アンテナ１１−ｘと、カプラ（連結器）１２−ｘと、Ｔ(Transfer)／Ｒ(Receive)スイッチ１４−ｘと、パワーアンプ（電力増幅器）１５−ｘと、Ｔ／Ｒスイッチ１６−ｘと、ローノイズアンプ（低雑音増幅器）１７−ｘと、を含んで構成されている。基地局送受信部４０は、Ｔ／Ｒスイッチ４１−ｘ（ｘ＝１〜ｎ）と、周波数変換部４２−ｘ（ｘ＝１〜ｎ）と、周波数変換部４３−ｘ（ｘ＝１〜ｎ）と、送信部４４と、受信部４５と、送信ウエイト生成部４６と、キャリブレーションウエイト記憶部４８と、を含んで構成されている。キャリブレーション部５０は、周波数変換部５３と、受信部５５と、電力測定部５７と、を含んで構成されている。キャリブレーション検証実施部７０は、キャリブレーション検証信号取得部７２と、キャリブレーション検証指示部７４と、運用判断部７６と、を含んで構成されている。そして、Ｔ／Ｒスイッチ４１−ｘとＴ／Ｒスイッチ１６−ｘとは、ケーブル８０−ｘで接続され、合成部６０と、カプラ１２−ｘとは、ケーブル８１−ｘで接続されている。
【００２２】
アンテナｘ部１０−ｘは、無線通信部２１によって実現され、アンテナ１１−ｘに到来する電波を取得し、該電波に含まれる信号を基地局送受信部４０に入力する信号入力処理と、基地局送受信部４０から出力される信号をアンテナ１１−ｘから無線区間に送出する信号送出処理を行う。そして通常は、移動局装置３との間での電波の送受信を行う。
【００２３】
またアンテナｘ部１０−ｘは、アンテナ１１−ｘに到来する電波に含まれる信号の増幅処理及び基地局送受信部４０から出力される信号の増幅処理も行う。具体的には、本実施の形態では上述のように時分割複信方式を使用しており、Ｔ／Ｒスイッチ１４−ｘ及びＴ／Ｒスイッチ１６−ｘにより上り信号と下り信号のタイムスロットをそれぞれ異なる経路に振り分け、それぞれの経路に設置される増幅器を経由して通信を行う。そして、上り信号の場合には、パワーアンプ１５−ｘにより電力を信号に加えることで、アンテナ１１−ｘから信号を送信する際の送信電力を制御している。また、下り信号の場合にはローノイズアンプ１７−ｘにより雑音レベルの非常に低い増幅を行い、受信信号の雑音レベルをできるだけ上げることなく、該信号の受信電力を増幅している。
【００２４】
カプラ１２−ｘは、Ｔ／Ｒスイッチ１４−ｘとアンテナ１１−ｘとの間に設置される通信線と、ケーブル８１−ｘと、を電気的に連結する。そして、カプラ１２−ｘにより、Ｔ／Ｒスイッチ１４−ｘとアンテナ１１−ｘとの間に設置される通信線を流れる信号はケーブル８１−ｘにも流れることとなり、逆にケーブル８１−ｘに流れる信号はＴ／Ｒスイッチ１４−ｘとアンテナ１１−ｎとの間に設置される通信線にも流れることとなる。つまり、例えばＴ／Ｒスイッチ１４−ｘからアンテナ１１−ｘに流れる信号は、カプラ１２−ｘによって取得され、ケーブル８１−ｘに流されるため、合成部６０において取得することが可能となる。
【００２５】
またアンテナ部１０−ｘは通常該基地局装置２が設置される鉄塔の先端部に設置される。一方の基地局送受信部４０は鉄塔の地面に近い部分に設置される。そのため、Ｔ／Ｒスイッチ１６−ｘと、Ｔ／Ｒスイッチ４１−ｘと、の間には１０ｍ以上の距離があることも多く、その間はケーブル８０−ｘによって接続されている。
【００２６】
なお、後述する合成部６０は無線通信部２１又はキャリブレーション部２４のいずれに含まれていてもよく、合成部６０が無線通信部２１に含まれる場合には、周波数変換部５３と合成部６０との間の距離がＴ／Ｒスイッチ１６−ｘと、Ｔ／Ｒスイッチ４１−ｘと、の間の距離と同程度の長さになる。また合成部６０がキャリブレーション部２４に含まれる場合には、合成部６０とカプラ１２−ｘとの間の距離がＴ／Ｒスイッチ１６−ｘと、Ｔ／Ｒスイッチ４１−ｘと、の間の距離と同程度の長さになる。
【００２７】
次に、基地局送受信部４０は、無線通信部２１、制御部２０及び記憶部２２によって実現され、アンテナｘ部１０−ｘから出力される信号を復調及び復号する復調・復号処理及びアンテナｘ部１０−ｘへ出力する信号を変調及び符号化する変調・符号化処理を行う。そしてさらに、図示していないが、ネットワークインターフェイス部２３との間での信号の送受信も行い、通信ネットワーク４と、移動局装置３との間での通信を中継する。
【００２８】
Ｔ／Ｒスイッチ４１−ｘは、ケーブル８０−ｘと接続され、アンテナｘ部１０−ｘから出力される信号を含むタイムスロットと、アンテナｘ部１０−ｘへ出力する信号を含むタイムスロットと、で経路を切り替えることにより、アンテナｘ部１０−ｘから出力される信号を周波数変換部４２−ｘに出力し、周波数変換部４３−ｘから出力される信号をケーブル８０−ｘに送出する。なお、Ｔ／Ｒスイッチ４１−ｘ、周波数変換部４２−ｘ、周波数変換部４３−ｘはそれぞれアンテナｘ部１０−ｘに対応して設けられ、各アンテナｘ部１０−ｘとの間で信号の入出力を行う。
【００２９】
周波数変換部４３−ｘは、アンテナｘ部１０−ｘから出力される信号を、無線周波数からベースバンド周波数に変換する周波数変換処理を行い、該信号を受信部４５に出力する。逆に、周波数変換部４２−ｘは、アンテナｘ部１０−ｘへ出力する信号を、ベースバンド周波数から無線周波数に変換する周波数変換処理を行い、該信号をＴ／Ｒスイッチ４１−ｘに送出する。
【００３０】
受信部４５は、各周波数変換部４３−ｘから入力される信号の合成と、検波処理を行う。検波処理としては、具体的には、該信号に図示しないバンドパスフィルタによるＤＦＴ(Digital Fourier Transpose)処理を施すことにより、特定の周波数の成分のみを取り出す。そして、該特定の周波数の信号に対し、復調及び復号処理を行い、移動局装置３が送出した信号をビット列で取得する。併せて、各周波数変換部４２−ｘから入力される信号の位相及び振幅を取得し、送信ウエイト生成部４６に出力する。
【００３１】
送信部４４は、ネットワークインターフェイス部２３から出力される信号であるビット列を無線区間に送出するために、該信号の符号化及び変調処理を行う。そして、該信号を周波数変換部４２−ｘに対して出力する。そしてこの出力を行う際に、以下に説明する送信ウエイト生成部４６において生成される送信ウエイトに基づいて各周波数変換部４２−ｘへの出力ごとに重み付けを行う。より具体的には、変調処理された信号に、送信ウエイト生成部４６において生成される該信号の位相及び振幅の各アンテナｘ部１０−ｘ間における相違量を示す送信ウエイトを乗算することにより、各アンテナｘ部１０−ｘにおいて該信号が無線区間に送出される際の位相及び振幅を、アンテナｘ部１０−ｘ間ごとに決定する。そしてこのようにすることにより、アンテナ１１−ｘによるアダプティブビームフォーミング及びアダプティブヌルステアリング、すなわち空間分割多重方式を実現し、ｘの数ｎはアダプティブアレイアンテナの数となる。該処理を数式で表すと以下の式（１）のようになる。なお、変調処理された信号をＳ(ｔ)、周波数変換部４２−ｘに対して出力される信号をＳｘ(ｔ)、該Ｓｘ(ｔ)についての送信ウエイトをｗＴｘとする。
【００３２】
Ｓｘ(ｔ)＝Ｓ(ｔ)×ｗＴｘ  （ｘ＝１，２，・・・，ｎ）  ・・・（１）
【００３３】
送信ウエイト生成部４６は、受信部４５から出力される信号の位相及び振幅に基づいて、受信される信号の位相及び振幅の各アンテナｘ部１０−ｘ間における相違量を示す受信ウエイトを算出する。受信ウエイトは相対的なものであり、１の周波数変換部４２−ｘから出力される信号の位相及び振幅を基準として、該基準となる位相及び振幅と、他の周波数変換部４２−ｘから出力される信号の位相及び振幅と、の差異をアンテナｘ部１０−ｘにおける受信ウエイトとして用いることができる。そして送信ウエイト生成部４６は、該受信ウエイトと、キャリブレーション処理において算出される、各アンテナｘ部１０−ｘにそれぞれ対応する複数のキャリブレーションウエイトと、に基づいて送信ウエイトｗＴｘを生成する。該処理を数式で表すと以下の式（２）のようになる。なお、周波数変換部４２−ｘから出力される信号の受信ウエイトをｗＲｘ、キャリブレーションウエイトをｗＣｘとする。
【００３４】
ｗＴｘ＝ｗＲｘ×ｗＣｘ  （ｘ＝１，２，・・・，ｎ）  ・・・（２）
【００３５】
キャリブレーションウエイト記憶部４８は、該算出されたキャリブレーションウエイトを記憶し、記憶されるキャリブレーションウエイトは、送信ウエイト生成部４６における送信ウエイトの算出に使用される。
【００３６】
次に、キャリブレーション検証の処理について詳細に説明する。
【００３７】
まず、制御部２０及びキャリブレーション部２４により実現されるキャリブレーション検証指示部７０が、キャリブレーション検証を行うことを決定する。そしてキャリブレーション検証信号取得部７０がキャリブレーション検証信号を取得する。該キャリブレーション検証信号は、上述のキャリブレーション処理において、基地局装置２内での電力ロスや遅延をアンテナごとの送信電力のウエイトに反映させるために、キャリブレーション部５０から基地局送受信部４０に対して送信されるキャリブレーション信号であってもよい。該キャリブレーション信号の種類としては、例えばトーン信号（正弦波）やバースト信号（ビット列）が考えられる。トーン信号を用いる場合には、固定シンボルでトーン信号を用意しておき、該固定シンボルのコピーを繰り返すことにより、該キャリブレーション信号を生成することができる。バースト信号を使用する場合には、ＰＮ（Pseudo Noise）符号を用いたり、乱数によって信号を生成したりすることにより、該キャリブレーション信号を生成することができる。そしてキャリブレーション検証信号取得部７０は、該キャリブレーション信号をキャリブレーション検証信号として取得することができる。
【００３８】
次に、該キャリブレーション検証信号に対して、送信ウエイト生成部４０が送信ウエイトを生成する。この場合において、キャリブレーション検証信号に対しては、対応して受信部４５から出力される受信信号がないため、受信ウエイトは送信ウエイト生成部４０において特に取得されず、全てのアンテナｘ部１０−ｘにおいて等しい受信ウエイトとなる。このため、受信ウエイトｗＲｘは１であるとして説明を進める。
【００３９】
なお、実際のキャリブレーション検証時には、基地局送受信部４０が、キャリブレーション処理時に算出した受信ウエイトを使用する。この受信ウエイトは検証時に適宜算出されてもいいし、予め算出しておいて記憶部（不図示）に記憶しておくこととしてもよい。このようにする場合は受信ウエイトｗＲｘは該記憶される受信ウエイトが適用される。
【００４０】
一方、キャリブレーションウエイトｗＣｘは全ての送信信号について適用される。このため、キャリブレーション検証信号に対しても適用される。
【００４１】
そして、第１の実施形態においては、送信ウエイト生成部４０はキャリブレーション検証信号の送信ウエイトｗＴｘはキャリブレーションウエイトｗＣｘであると決定する。
【００４２】
このようにして、キャリブレーションウエイトを送信ウエイトとするキャリブレーション検証信号は、通常の通信に使用される送信信号として送信部４４から送信され、上述の処理によりアンテナ１１−ｘから送出される。そしてこの際において、カプラ１２−ｘにより該送信信号であるキャリブレーション検証信号がアンテナｘ部１０−ｘにおいて取得され、合成部６０に対して送信される。そして合成部６０は各アンテナｘ部１０−ｘから送信される該キャリブレーション検証信号を合成する。
【００４３】
この合成部６０における処理の概念図を、ｘ＝１〜４である場合を例に取り、図４に示す。図４では、Ｓｘがアンテナｘ部１０−ｘから合成部６０に向けて送信される信号を表している。そして該ＳｘはＩ（同期成分，In-phase component）Ｑ（直交成分,Quadrature component）平面上のベクトルであるＳｘベクトルとして表される。なお、本来は４つのＳｘベクトルが全て重なるが、同図においては、説明のためにＱ軸方向に少しずつずらして記載している。
【００４４】
図４に示すように、キャリブレーションウエイトを送信ウエイトとしてキャリブレーション検証信号を送信しているので、キャリブレーションウエイトが正しく算出されていれば、合成部６０において受信される同信号は振幅と位相が揃うことになる。このため、全てのＳｘベクトルは同じ方向を向くこととなり、合成部６０においてこれらを合成すると、ある位相においてするどい予定ピーク（図４の場合では送信信号の振幅の４倍、すなわち送信信号の送信出力をアンテナｘ部１０−ｘ分合計した量の受信電力）がある信号となる。一方、キャリブレーションウエイトが正しく算出されていない場合には、合成された信号の振幅は予定ピークに比べ下がることとなる。これを数式で表すと、式（１）、式（２）より、以下の式（３）のようになり、予定ピークがキャリブレーション検証信号の振幅Ａに、アンテナｘ部１０−ｘの数ｎを乗算した高さとなることが分かる。ここで、キャリブレーション信号をＳ(ｔ)＝Ａexp(ｊωｔ)とし、アンテナｘ部１０−ｘに対応する信号をＳｘ(ｔ)、合成後の信号をＳ’(ｔ)とする。
【００４５】
Ｓ’(ｔ)＝ΣＳｘ(ｔ)＝Ａｎexp(ｊωｔ)  ・・・（３）
【００４６】
そして、合成部６０は、該合成された信号を周波数変換部５３に対し出力する。周波数変換部５３では、無線周波数からベースバンド周波数に変換する周波数変換処理を行い、該信号を受信部５５に出力する。受信部５５は、周波数変換部５３から入力される信号の検波処理を行う。検波処理としては、具体的には、該信号に図示しないバンドパスフィルタによるＤＦＴ処理を施すことにより、特定の周波数の成分のみを取り出す。そして、該キャリブレーション検証信号がトーン信号である場合には、周波数変換部５３から出力される信号にＤＦＴ処理を施すことにより元のトーン信号を取得することができる。
【００４７】
一方キャリブレーション検証信号がバースト信号である場合には、別途取得する該キャリブレーション検証信号（不図示）を参照信号として、該参照信号との相関から復調・復号を行うことになる。具体的には、周波数変換部５３から入力される信号と、該参照信号の少なくとも一部とで、相関が最大となるタイミングをサーチし、相関が最大となるタイミングで該参照信号と周波数変換部５３から入力される信号との相関を取得して出力することにより、検波される。すなわち、周波数変換部５３から出力される信号から搬送波成分を抽出して送信側の周波数及び位相に合わせる搬送波成分抽出処理を行う。このような搬送波成分抽出処理は、キャリブレーション検証信号がトーン信号である場合には不要である。
【００４８】
そして、電力測定部５７は、以上のようにして検波されたキャリブレーション検証信号の受信電力を取得する。そして、該受信電力を運用判断部７６に対して送信する。
【００４９】
運用判断部７６は、電力測定部５７から入力されるキャリブレーション部５０において受信されたキャリブレーション検証信号の受信電力に基づいて、送信ウエイト生成部４６においてキャリブレーションウエイト記憶部４８に記憶されているキャリブレーションウエイトを使用するか否か、すなわち送信ウエイトに乗算するか否かを判断する。具体的には、上述のように、キャリブレーションウエイトが正しく算出されていれば、電力測定部５７から入力されるキャリブレーション部５０において受信されたキャリブレーション検証信号の受信電力は予定ピークとなるはずであり、誤差を考慮したとしても所定値を下回るようであれば、キャリブレーションウエイトが正しく算出されていない可能性が高いため、送信ウエイト生成部４６においてキャリブレーションウエイト記憶部４８に記憶されているキャリブレーションウエイトを使用しないと判断することができる。一方、電力測定部５７から入力されるキャリブレーション部５０において受信されたキャリブレーション検証信号の受信電力が所定値以上であれば、キャリブレーションウエイトが正しく算出されていると判断し、送信ウエイト生成部４６においてキャリブレーションウエイト記憶部４８に記憶されているキャリブレーションウエイトを使用すると判断することができる。なお、送信ウエイト生成部４６においてキャリブレーションウエイト記憶部４８に記憶されているキャリブレーションウエイトを使用しないと判断する場合には、さらに再度キャリブレーション処理をやり直すこととしてもよい。
【００５０】
次に、第２の実施形態においては、送信ウエイト生成部４０は、キャリブレーションウエイトｗＣｘと、さらにアンテナｘ部１０−ｘの数のキャリブレーション検証信号をあるウエイトで重み付けをして合成したとする場合に、該合成して得られる信号の振幅が所定値以下となるように算出される該ウエイトに基づいて決定される検証係数と、を演算することにより、キャリブレーション検証信号の送信ウエイトｗＴｘを決定する。具体的には、前記各アンテナｘ部１０−ｘに対応するキャリブレーションウエイトごとに、２πにｘを乗算し、さらにアンテナ部の数ｎで除算して得られる位相回転量を乗算することにより得られる量を、該検証係数とすることができる。該検証係数ｋｘを以下の式（４）に示す。
【００５１】
ｋｘ＝２πｘ／ｎ  ・・・（４）
【００５２】
このようにすると、アンテナｘ部１０−ｘの数のキャリブレーション検証信号をあるウエイトで重み付けをして合成したとする場合に、該合成して得られる信号の振幅はゼロとなる。つまり、図４に示す図において、Ｓｘをアンテナｘ部１０−ｘに対応するキャリブレーション検証信号とすると、式（１）、式（２）及び式（４）に示されるように、検証係数ｋｘを乗算することにより送信ウエイトに基づいて重み付けした後のアンテナｘ部１０−ｘに対応する信号Ｓｘ(ｔ)を取得することができ、該Ｓｘ(ｔ)は以下の式（５）で表される。
【００５３】
Ｓｘ(ｔ)＝Ａexp(ｊ(ωｔ＋２πｘ／ｎ))  ・・・（５）
【００５４】
そして、該Ｓｘ(ｔ)を合成する、すなわち全てのｘについて加算すると、合成後の信号Ｓ’(ｔ)は以下の式（６）のようになる。
【００５５】
Ｓ’(ｔ)＝ΣＡexp(ｊ(ωｔ＋２πｘ／ｎ))＝０  ・・・（６）
【００５６】
このように、合成後の信号の振幅がゼロとなる。その概念図を、ｘ＝１〜４である場合を例に取り、図５に示す。図５では、Ｓｘがアンテナｘ部１０−ｘに対応するキャリブレーション信号を表している。そして該ＳｘはＩＱ平面上のベクトルであるＳｘベクトルとして表される。そして検証係数ｋｘにより、Ｓｘはそれぞれπ／２ずつ位相が回転することとなるので、各Ｓｘベクトルは、０，π／２，π，３π／２の方向を向くこととなり、これらのＳｘベクトルの和はゼロとなることが分かる。
【００５７】
このように、キャリブレーションウエイト或いは受信ウエイトにさらに上記の検証係数を乗算したものを送信ウエイトとして、上記第１の実施形態と同様、キャリブレーション検証信号を送信部４４から送信すると、キャリブレーションウエイトが正しく算出されていれば、合成部６０において受信される同信号を合成した場合、その振幅は誤差を含めるとゼロにはならないとしても、所定値以下となる。一方、キャリブレーションウエイトが正しく算出されていない場合には、合成された信号の振幅は所定値を上回ることとなる。
【００５８】
そして、電力測定部５７は、上記第１の実施形態と同様にして検波されたキャリブレーション検証信号の受信電力を取得する。そして、該受信電力を運用判断部７６に対して送信する。
【００５９】
運用判断部７６は、電力測定部５７から入力されるキャリブレーション部５０において受信されたキャリブレーション検証信号の受信電力に基づいて、送信ウエイト生成部４６においてキャリブレーションウエイト記憶部４８に記憶されているキャリブレーションウエイトを使用するか否か、すなわち送信ウエイトに乗算するか否かを判断する。具体的には、上述のように、キャリブレーションウエイトが正しく算出されていれば、電力測定部５７から入力されるキャリブレーション部５０において受信されたキャリブレーション検証信号の受信電力はゼロとなるはずであり、誤差を考慮したとしても所定値を上回るようであれば、キャリブレーションウエイトが正しく算出されていない可能性が高いため、送信ウエイト生成部４６においてキャリブレーションウエイト記憶部４８に記憶されているキャリブレーションウエイトを使用しないと判断することができる。一方、電力測定部５７から入力されるキャリブレーション部５０において受信されたキャリブレーション検証信号の受信電力が所定値以下であれば、キャリブレーションウエイトが正しく算出されていると判断し、送信ウエイト生成部４６においてキャリブレーションウエイト記憶部４８に記憶されているキャリブレーションウエイトを使用すると判断することができる。なお、送信ウエイト生成部４６においてキャリブレーションウエイト記憶部４８に記憶されているキャリブレーションウエイトを使用しないと判断する場合には、さらに再度キャリブレーション処理をやり直すこととしてもよい。
【００６０】
以上のようにすることにより、キャリブレーションウエイト算出が正確にできているか否かを高い精度で検証することができる。特に、ピークの高さを測定することにより検証する場合に比べ、ピークがないことを検出することにより検証すると、より精度よく、正しくキャリブレーションウエイトが算出されたか否かを判断することができる。
【００６１】
第３の実施形態においては、第１の実施形態で使用される送信ウエイト（非修正ウエイト）と第２の実施形態で使用される送信ウエイトの両方をキャリブレーション検証信号の送信ウエイト（修正ウエイト）として、それぞれの送信ウエイトで重み付けされたキャリブレーション検証信号が通常の通信に使用される送信信号として送信部４４から送信され、上述の処理によりアンテナ１１−ｘから送出される。すなわち、キャリブレーション検証信号の送信部４４からの送信は少なくとも２回となる。そして、それぞれのキャリブレーション検証信号を合成部６０において合成した結果得られる受信信号としては、キャリブレーションウエイトが正しく算出されている場合には、上述のように、キャリブレーションウエイトを送信ウエイトとして決定した場合には予定ピークの信号（少なくとも第１所定値以上）が得られ、キャリブレーションウエイトを検証係数に基づいて修正して得られる修正ウエイトを送信ウエイトとして決定した場合には振幅がゼロの信号（少なくとも第２所定値以下）が得られる。そして、これらの信号の振幅に基づいて、運用判断部７６は送信ウエイト生成部４６においてキャリブレーションウエイト記憶部４８に記憶されているキャリブレーションウエイトを使用するか否か、すなわち送信ウエイトに乗算するか否かを判断する。
【００６２】
具体的には、キャリブレーションウエイトを送信ウエイトとして決定した場合の合成後の信号（非修正受信信号）と、キャリブレーションウエイトを検証係数に基づいて修正して得られる修正ウエイトを送信ウエイトとして決定した場合の合成後の信号（修正受信信号）との振幅の差異が所定値以上であれば、送信ウエイト生成部４６においてキャリブレーションウエイト記憶部４８に記憶されているキャリブレーションウエイトを使用することと判断し、所定値以下であれば送信ウエイト生成部４６においてキャリブレーションウエイト記憶部４８に記憶されているキャリブレーションウエイトを使用しないことと判断することとしてもよい。以下の式（７）や式（８）には、差異として非修正受信信号と修正受信信号との比ｒや差ｄを用いた場合の具体的な計算について示す。ここで非修正受信信号をＳ１’(ｔ)、修正受信信号をＳ２’(ｔ)としている。
【００６３】
ｒ＝Ｓ２’(ｔ)／Ｓ１’(ｔ)  ・・・（７）
【００６４】
ｄ＝Ｓ１’(ｔ)−Ｓ２’(ｔ)  ・・・（８）
【００６５】
このようにすると、一度の測定のみでなく、二度の異なる測定によりキャリブレーションを検証することができるので、より精度の高い検証を行うことができる。
【００６６】
以上のキャリブレーションを検証する処理を、処理シーケンス図を参照しながら、再度詳細に説明する。
【００６７】
図６は、キャリブレーションウエイトを算出する処理の処理フロー図である。まず、キャリブレーション検証実施部７０は、キャリブレーション検証信号を基地局送受信部４０に送信する（Ｓ１００）。このキャリブレーション検証信号はキャリブレーションウエイトの算出時に使用したキャリブレーション信号であってもよい。そして、該キャリブレーション検証信号を受信した基地局送受信部４０は、該キャリブレーション検証信号を送信ウエイトに基づいてアンテナｉ部１０−ｉごとの重み付けをする（Ｓ１０２）。この場合の送信ウエイトとして、ここではキャリブレーションウエイトを修正するための検証係数をキャリブレーションウエイトに乗算することにより得られる送信ウエイトを使用する。該検証係数は、アンテナｉ部１０−ｉの数のキャリブレーション検証信号を該送信ウエイトで重み付けをして合成する場合であって、該合成して得られる信号の振幅が所定値以下となるように決定される。そして、各アンテナｉ部１０−ｉに対し、送信部４４から該重み付けされたキャリブレーション検証信号を送信する（Ｓ１０４−ｉ）。
【００６８】
そしてアンテナｉ部１０−ｉは該キャリブレーション検証信号をカプラ１２−ｉによりキャリブレーション部５０とアンテナｉ部１０−ｉとの通信経路であるケーブルと連結することにより取得し、合成部６０に対して送信する（Ｓ１０６−ｉ）。
【００６９】
合成部６０では、受信するキャリブレーション検証信号を合成することにより、検証係数により修正されたキャリブレーションウエイトを送信ウエイトとして送信部４４から送信された信号を合成部６０が受信し、合成した信号である修正受信信号を取得する。そして、該修正受信信号をキャリブレーション部５０に送信し（Ｓ１０８）、キャリブレーション部５０は該修正受信信号の振幅を示す情報である振幅情報を取得し、キャリブレーション検証実施部７０に送信する（Ｓ１１０）。
【００７０】
キャリブレーション検証実施部７０は、受信した振幅情報に基づいて、送信ウエイト生成部４６において、キャリブレーションウエイト記憶部４８に記憶されるキャリブレーションウエイトを使用するか否かを決定する運用判断を行う（Ｓ１１２）。より具体的には、該振幅情報により示される修正受信信号の振幅が所定値以下であるか否かに応じて、送信ウエイト生成部４６において、キャリブレーションウエイト記憶部４８に記憶されるキャリブレーションウエイトを使用するか否かを決定する。
【００７１】
図７も、キャリブレーションウエイトを算出する処理の処理フロー図である。まず、キャリブレーション検証実施部７０は、キャリブレーション検証信号を基地局送受信部４０に送信する（Ｓ１１４）。このキャリブレーション検証信号はキャリブレーションウエイトの算出時に使用したキャリブレーション信号であってもよい。そして、該キャリブレーション検証信号を受信した基地局送受信部４０は、該キャリブレーション検証信号を送信ウエイトに基づいてアンテナｉ部１０−ｉごとの重み付けをする（Ｓ１１６）。この場合の送信ウエイトとして、ここではキャリブレーションウエイトを使用する。該検証係数は、アンテナｉ部１０−ｉの数のキャリブレーション検証信号を該送信ウエイトで重み付けをして合成する場合であって、該合成して得られる信号の振幅が所定値以下となるように決定される。そして、各アンテナｉ部１０−ｉに対し、送信部４４から該重み付けされたキャリブレーション検証信号を送信する（Ｓ１１８−ｉ）。
【００７２】
そしてアンテナｉ部１０−ｉは該キャリブレーション検証信号をカプラ１２−ｉによりキャリブレーション部５０とアンテナｉ部１０−ｉとの通信経路であるケーブルと連結することにより取得し、合成部６０に対して送信する（Ｓ１２０−ｉ）。
【００７３】
合成部６０では、受信するキャリブレーション検証信号を合成することにより、検証係数により修正されないキャリブレーションウエイトを送信ウエイトとして送信部４４から送信された信号を合成部６０が受信し、合成した信号である非修正受信信号を取得する。そして、該非修正受信信号をキャリブレーション部５０に送信し（Ｓ１２２）、キャリブレーション部５０は該非修正受信信号の振幅を示す情報である振幅情報を取得し、キャリブレーション検証実施部７０に送信する（Ｓ１２４）。
【００７４】
キャリブレーション検証実施部７０は、受信した振幅情報に基づいて、送信ウエイト生成部４６において、キャリブレーションウエイト記憶部４８に記憶されるキャリブレーションウエイトを使用するか否かを決定する運用判断を行う（Ｓ１２６）。より具体的には、該振幅情報により示される非修正受信信号の振幅が所定値以上であるか否かに応じて、送信ウエイト生成部４６において、キャリブレーションウエイト記憶部４８に記憶されるキャリブレーションウエイトを使用するか否かを決定する。
【００７５】
そして、図６で説明した処理と、図７で説明した処理と、によりそれぞれ取得される振幅情報の両方に基づいて、キャリブレーション検証実施部は、運用判断をすることができる。具体的には、両振幅情報の差異に基づいて、差異が所定値以上である場合には、送信ウエイト生成部４６において、キャリブレーションウエイト記憶部４８に記憶されるキャリブレーションウエイトを使用することを決定し、差異が所定値以下である場合には、送信ウエイト生成部４６において、キャリブレーションウエイト記憶部４８に記憶されるキャリブレーションウエイトを使用しないことを決定することができる。
【図面の簡単な説明】
【００７６】
【図１】本発明の実施の形態にかかる移動体通信システムの構成図である。
【図２】本発明の実施の形態にかかる基地局装置の構成ブロック図である。
【図３】本発明の実施の形態にかかる基地局装置の機能ブロック図である。
【図４】本発明の実施の形態にかかる信号のＩＱ平面図である。
【図５】本発明の実施の形態にかかる信号のＩＱ平面図である。
【図６】本発明の実施の形態にかかる基地局装置の処理シーケンス図である。
【図７】本発明の実施の形態にかかる基地局装置の処理シーケンス図である。
【符号の説明】
【００７７】
１  移動体通信システム、２  基地局装置、３  移動局装置、４  通信ネットワーク、１０  アンテナ部、１１  アンテナ、１２  カプラ、１４，１６，４１  Ｔ／Ｒスイッチ、  ２０  制御部、２１  無線通信部、２２  記憶部、２３  ネットワークインターフェイス部、２４，５０  キャリブレーション部、４０  基地局送受信部、４２，４３，５３  周波数変換部、４４  送信部、４５，５５  受信部、４６  送信ウエイト生成部、４８  キャリブレーションウエイト記憶部、５７  電力測定部、６０  合成部、７０  キャリブレーション検証実施部、７２  キャリブレーション検証信号取得部、７４  キャリブレーション検証指示部、７６  運用判断部。
【図１】
2006019992.tif 000003
【図２】
2006019992.tif 000004
【図３】
2006019992.tif 000005
【図４】
2006019992.tif 000006
【図５】
2006019992.tif 000007
【図６】
2006019992.tif 000008
【図７】
2006019992.tif 000009